(57)【要約】【課題】既設の地下タンクに対して観測用のセンサを取り付ける際に、地下タンクの外周を埋設する土砂などを除去するという面倒な作業を要さず、また、地下タンクを開放（貯留中の液体を一旦払い出して空にする）することなく、稼動中のままで検査が可能な地下タンクの腐食損傷評価システムを提供する。【解決手段】地下タンクに、アコースティックエミッション（以下ＡＥという）センサを含むＡＥデータ採取装置を設置してＡＥデータを採取するステージと、前記ＡＥデータを処理してＡＥ特性値を抽出するステージと、前記ＡＥ特性値を解析して腐食度を判定するステージとを含み、前記ＡＥセンサの少なくとも一部が、導波棒を介して前記地下タンクの殻の内壁に接している、ことを特徴とする。【選択図】図１
2006250823.tif 000002
【特許請求の範囲】
【請求項１】
地下タンクに、アコースティックエミッション（以下ＡＥという）センサを含むＡＥデータ採取装置を設置してＡＥデータを採取するステージと、前記ＡＥデータを処理してＡＥ特性値を抽出するステージと、前記ＡＥ特性値を解析して腐食度を判定するステージとを含み、
前記ＡＥセンサの少なくとも一部が、導波棒を介して前記地下タンクの殻の内壁に接している、
ことを特徴とする地下タンクの腐食損傷評価システム。
【請求項２】
前記ＡＥ特性値を抽出するステージにおいて抽出されるＡＥ特性値が少なくとも「総ヒット数」と「ヒットごとの最大振幅値」を含み、
前記ＡＥ特性値を解析して腐食度を判定するステージが（ａ）過去の地下タンクに関する実測殻厚と腐食度の相関データベースと、（ｂ）総ヒット数と腐食度の相関分析ステップとを含み、
さらに（ａ）が（ａ１）殻厚減肉量とその累積頻度の相関分析から腐食リスクパラメータ（ＣＲＰ）を得るデータベースと、（ａ２）ＣＲＰと総ヒット数の相関分析からＣＲＰの検量線を得るデータベースとを含み、
前記（ｂ）ステップにおいて前記「総ヒット数」から、前記（ａ１）及び（ａ２）データベースに基づき前記地下タンクのＣＲＰの上限を推定して前記地下タンクの腐食速度及び寿命を予測する、ことを特徴とする請求項１に記載の地下タンクの腐食損傷評価システム。
【発明の詳細な説明】
【技術分野】
【０００１】
本発明は、地下タンクの腐食損傷評価システムに係り、特にアコースティックエミッション（以下ＡＥと略する）法を用いた地下タンクの腐食損傷評価システムに関するものである。
【背景技術】
【０００２】
石油化学プラント、各種工場、及びガソリンスタンドなどにおいては多数のタンクが使われ、油類・溶剤等の、有機又は無機化学物質の液体を貯留している。従ってタンクの破損・漏洩（貫通亀裂）は致命的であり、これを予知し予防策を講じる維持管理技術の確立が必須条件となる。
【０００３】
タンク壁の破損・漏洩を予知するためには、タンク壁の破損・漏洩に先立つ、局部的腐食などによるタンク壁の損傷（孔食など）を検出しなければならないが、その方法としては、能動的方法と受動的方法がある。
【０００４】
能動的方法では、超音波探傷法に代表されるように、弾性波をタンク壁に入射して、その反射波又は透過波を観測して壁内部の損傷を検出するのに対して、受動的方法では、ＡＥ法に代表されるように、壁内の損傷が発生又は成長する際には微弱な超音波領域の弾性波を発生する（ＡＥ、音響放出ともいう）ので、この発生した弾性波を観測（センス）して壁内部の損傷を検出する。
【０００５】
ＡＥ法は、破損・漏洩に繋がる進行性の損傷を、連続的に、しかもタンクを空にせず稼動状態のままで監視することができるので、前記能動的方法に先立つ準備段階として、損傷の疑いのある箇所を包括的に把握するのによく使われている。
【０００６】
例えば特許文献１には、プラント機器の統合運用支援装置の、故障モニタリング手段の一部としてＡＥ信号を組み込む技術が開示されている。
【特許文献１】特開２００４−０９４６３１号公報
【０００７】
ＡＥ法では、微弱な超音波領域の弾性波のセンス技術及びセンスしたデータのデータ処理技術が国内外で向上、標準化されており、データ内の雑音成分を認知処理し、信号パターンと実際の腐食損傷の状態とを照合するのに有効なデータベース化が進んでいる。
【０００８】
例えば、石油メジャー各社及び大手化学会社からなる「ＡＥユーザーグループ」は、欧州において地上タンク底面などの腐食損傷に関して、このようなデータベースを確立し、現在は毎年１０００基以上のタンクに対してＡＥ法による検査を実施している。
【０００９】
また、日本においては、タンク底部の腐食損傷による減肉状況に関しては、ＡＥ法に先立って、法定の、タンクを開放して底部の板厚の減肉状況についての底部板厚実測のデータ蓄積がある。
この従来の法定板厚測定データを統計的に処理して経年劣化を考慮した腐食量／腐食速度情報を得た上で、ＡＥ法と板厚実測を同時に実施すると、両者の間に一定の相関があることが見出され、これらに関するデータベースが確立されつつある。
【００１０】
腐食損傷の際に検出されるＡＥの発生源は、固体内部で局所的に生じる変形や微小な欠陥（クラック）の成長よりは、むしろ損傷部の固体表面に生じている硬い腐食生成物の割れや剥離にあるとされる。
このような損傷部の急激な変化（変化量はサイズμｍ〜ｍｍ級）により１０ｋＨｚ〜１ＭＨｚ級の弾性波、即ち超音波領域の弾性波が発生する。
【００１１】
同一の腐食損傷に対して微小な成長が重畳すると、損傷はマクロにも成長し、ついには殻を貫通し、貯留液体の漏洩という重大事態に至る。
固体中の欠陥（損傷部）の急激な変化に起因する弾性波という点では、空間的・時間的スケールこそ違え、ＡＥは地震の発生と等価であり、地震発生、震源規模・位置などの理論が平行して適用できる。
【００１２】
これらのＡＥ法で用いられるセンサは、タンクを稼動状態のままで観測するため、タンクの内壁に取り付けることができないので、専らタンクの外壁に取り付けなければならない。しかしながら地下タンクの場合は、その外壁が地中に埋蔵されており検査に際して必要な観測用のセンサを取り付けるのが困難であるので、ＡＥ法が可能なタンクは地上タンクに限られてしまい、既設の膨大な数の地下タンクに対してＡＥ法を事実上適用できない、という問題があった。
【発明の開示】
【発明が解決しようとする課題】
【００１３】
上記の問題に対処するためになされた本発明の目的は、既設の地下タンクに対して観測用のセンサを取り付ける際に、地下タンクの外周を埋設する土砂などを除去するという面倒な作業を要さず、また、検査のためだけの目的で地下タンクを開放（貯留中の液体を一旦払い出して（排出して）、空にする）することなく、稼動中のままで検査が可能な地下タンクの腐食損傷評価システムを提供することにある。
【００１４】
本発明の他の目的は、上記の地上タンクに対して形成されたデータベースを応用することにより、信頼度が高く、しかも経済的な地下タンクの腐食損傷評価システムを提供することにある。
【課題を解決するための手段】
【００１５】
上記の課題を解決するためになされた本発明による地下タンクの腐食損傷評価システムは、請求項１に示すように、地下タンクに、アコースティックエミッション（以下ＡＥという）センサを含むＡＥデータ採取装置を設置してＡＥデータを採取するステージと、前記ＡＥデータを処理してＡＥ特性値を抽出するステージと、前記ＡＥ特性値を解析して腐食度を判定するステージとを含み、前記ＡＥセンサの少なくとも一部が、導波棒を介して前記地下タンクの殻の内壁に接している、ことを特徴とする。
【００１６】
また、請求項２に示すように、請求項１に記載のシステムであって、前記ＡＥ特性値を抽出するステージにおいて抽出されるＡＥ特性値が少なくとも「総ヒット数」と「ヒットごとの最大振幅値」を含み、前記ＡＥ特性値を解析して腐食度を判定するステージが（ａ）過去の地下タンクに関する実測殻厚と腐食度の相関データベースと、（ｂ）総ヒット数と腐食度の相関分析ステップとを含み、さらに（ａ）が（ａ１）殻厚減肉量とその累積頻度の相関分析から腐食リスクパラメータ（ＣＲＰ）を得るデータベースと、（ａ２）ＣＲＰと総ヒット数の相関分析からＣＲＰの検量線を得るデータベースとを含み、前記（ｂ）ステップにおいて前記「総ヒット数」から、前記（ａ１）及び（ａ２）データベースに基づき前記地下タンクのＣＲＰの上限を推定して前記地下タンクの腐食速度及び寿命を予測する、ことを特徴とする。
【発明の効果】
【００１７】
本発明による地下タンクの腐食損傷評価システムでは、１つ又は複数の導波棒を、その一端が地下タンクの内壁に接するように稼動中の地下タンクの上部から貯留された液体中に沈めるだけで、導波棒の他端に接続したセンサを介してＡＥ法による観測が可能になる。
【００１８】
従って、既設の地下タンクに対して観測用のセンサを取り付ける際に、地下タンクの外周を埋設する土砂などを除去するという面倒な作業を要さず、さらに地下タンクを開放するため地下タンクの稼動を停止することなく、稼動中のままで検査が可能になる。即ち、経済的な検査が可能になる。
【００１９】
また、本発明による地下タンクの腐食損傷評価システムは、国内外のＡＥ法による確立された、地上タンクに関する検査データベースが活用できるので、信頼性が高く経済的である。
【００２０】
これに加えて、地下タンクの保守は地上タンクにも増して多大の費用がかかるので、保守作業の是非・タイミングの決定は重要であるが、本発明によれば、「総ヒット数」などによる経験的な保守タイミングの決定を、地下タンクの殻の腐食損傷速度、残存殻厚、従って損傷部の貫通寿命の推定という直接的なデータにより補強できる。
【発明を実施するための最良の形態】
【００２１】
本発明による地下タンクの腐食損傷評価システムを、図面を参照しながら説明する。
図１は、本発明による地下タンクの腐食損傷評価システムを示す図で、（Ａ）は全体図、（Ｂ）はＡＥの発生源である腐食損傷部を示す模式図である。
図２は、ＡＥによる超音波波形を例示し、その諸特性を示す図である。
図３は、本発明によるＡＥ法のフロー図である。
図４で、（Ａ）は腐食度の１次判定に用いる表であり、（Ｂ）は（Ａ）における腐食度の具体的判定結果を示す表である。
図５は、本発明によるＡＥ法のフロー図において、第２の実施例に係る部分を示す図である。
図６は、第２の実施例で用いる腐食度に関するパラメータの相関関係を示す実測図である。
【実施例１】
【００２２】
図１を参照すると、（Ａ）は本発明による地下タンクの腐食損傷評価システムの全体図であって、地下タンクは殻１０に囲まれ地中３０に埋設されており、その上表面だけは地上からアクセスできるように露出されている。特に既設の地下タンクの場合、殻の外表面は地中にあって土中に埋蔵されているので、通常の手段ではアクセスが困難である。
【００２３】
地下タンクは稼動中であるので、内部には液体２０が貯留されており、地下タンクの内面のうち、液体２０に接している部分（以下、これを液相部といい、地下タンクの内面のうち、液相部以外の部分を気相部という）に導波棒４０の先端４２でもって接している。
導波棒４０は、地下タンクの深さに応じたサイズ、例えば長さ２．５ｍ、直径２５ｍｍのステンレス製の棒であり、鋭く尖らせた先端４２側から液体２０中に差し込むと地下タンクの底部殻に自重で強く接触する。
【００２４】
導波棒４０はその全体がセンサとなる、即ち、その先端４２で底部殻を伝播してきたＡＥ波をセンスするだけでなく、導波棒の側面で液体２０中を伝播してきたＡＥ波をセンスするので感度を高めることができ、これらのＡＥ波を合わせて実質的に減衰せずに導波棒の上端に伝播する。
このようにして、通常の手段ではアクセスが困難な殻の液相部のＡＥ発生源に容易にアクセスできる。
【００２５】
本実施例では２本の導波棒４０、４０が、殻１０の上部に設けられた開口１２を通じて、先端４２が殻の底部内面に接するように設置されており、導波棒の他端にはセンサ、例えば圧電センサ４４が設置され、圧電センサは有線の信号線９１又は無線により、パソコン９０に接続されている。
【００２６】
図１（Ｂ）に示すように、殻の液相部のいずれかの場所にある腐食が進行し、即ち損傷部５０が成長するにつれて、ランダムな時間間隔をおいて損傷部の固体表面に生じている硬い腐食生成物の割れや剥離という、損傷部の複数の急激な変化５５を生じ、各々の急激な変化は超音波領域の弾性波（以下、単に「超音波」という）となって、殻中及び液体中を減衰しながら伝播し、各々、導波棒の先端４２及び導波棒４０の側面に到達すると、導波棒中を実質的に減衰しないで伝播して圧電センサに到達し、電圧信号に変換されて信号線９１を経てパソコン９０に伝えられる。
【００２７】
次に図２を参照すると、ＡＥによる超音波波形（圧電センサにより電圧波形に変換されている）を例示し、その諸特性を示す図である。
実際には、腐食生成物が割れたり剥離したりして損傷部に急激な変化を生じるたびに、このような超音波波形が複数個発生し、信号線上に重畳して伝えられるので、個々の急激な変化に対応する超音波波形の塊りをヒットという。
【００２８】
信号線上には各種の雑音が重畳しているので、ある閾値Ａｔｈを設定しておき、波形の振幅が連続してＡｔｈを越えている部分をもって１つのヒットとする。  各ヒットに対して、最大振幅値Ａｍ、立上り時間Ｔｒ，継続時間Ｔｄ、カウント数ｎなどの特性が定義される。
【００２９】
次に図３を参照すると、本発明によるＡＥ法のフロー図であって、本フローは、大別して、ＡＥデータを採取する第１ステージＳ１０、ＡＥデータを処理する第２ステージＳ２０、そしてＡＥ特性値を解析する第３ステージＳ３０からなる。
【００３０】
第１ステージＳ１０のステップＳ１１では、ＡＥセンサを地下タンクの殻の各所に設置する。
超音波の減衰量は、損傷部と導波棒の位置関係に依存するので、地震の震源の推定の場合と同じように、複数本の導波棒、例えば最小２本の導波棒を適切に設置すると、各導波棒で受けた超音波の強度の差を分析することにより、殻上の（成長・変形する）損傷の概略の位置を推定できる。
【００３１】
また、殻の気相部の損傷について正確に評価したい場合は、殻の内側面にも導波棒を設置し、殻の上表面に直接設置したセンサからのデータと合わせて処理すればよい。
導波棒およびＡＥセンサの設置数量と設置場所は、タンクのサイズ、形状と目標とする評価精度に合わせて、過去の、特に地上タンクのデータベースに基づき適切に選ばれる。
【００３２】
ステップＳ１２では、ＡＥセンサ、信号線、そしてこれに接続された、ＡＥ計測ボードを内蔵したパソコンが所定の測定時間、例えば１時間、にわたって運転され、ＡＥデータが各ＡＥセンサ毎に時系列的に記録される。
【００３３】
次に、第２ステージＳ２０では、このようにして得られた時系列データが解析前の準備処理がなされる。
第２ステージＳ２０のステップ２１では、雑音処理がなされる。
即ち、上記時系列データには、各種の雑音が重畳しており、中には振幅が所定の閾値Ａｔｈを越えるものがあるので、これを除去する。このような雑音の原因としては、風音、降雨音、雨水流音、降雨・結露水滴落下音、地下タンクに接続された配管の振動音、及び／又は、その他地下タンク特有の雑音（タンク外部から土中を伝わってくる各種振動音）がある。
【００３４】
これらの大部分は、各々、複数のセンサの時系列データに特有の相関性のある波形を呈するので、弁別排除できる。しかし、例えば強風、強雨、タンクの液体流入・払い出しなどの場合は弁別不能になるので、ＡＥ法の実施を避けなければならない。
【００３５】
ステップＳ２２では、これらの雑音が大部分除去されているので個々のヒット波形が認識され、Ｓ２５では、総ヒット数Ｎが算出され、Ｓ２６では、ヒット毎の特性値、即ち上記の最大振幅値Ａｍ、カウント数ｎ、立上り時間Ｔｒ、継続時間Ｔｄ、エネルギーＥなどが算出、記録される。
ここでエネルギーＥは、ヒットの波形の絶対値の積分値、又は２乗値の積分値として定義される。
【００３６】
第３ステージＳ３０では、このようにして得られたヒット数とヒット毎の特性値が解析され、対象とした地下タンクの損傷の進行程度、即ち腐食度が判定される。
【００３７】
例えば最初にステップＳ３１では、最大振幅値Ａｍの分布図を解析する。最大振幅値Ａｍを大きい順に並べ、累積ヒット数を算出し（最終値、即ち最小の最大振幅値に対する累積ヒット数は総ヒット数Ｎになる）、最大振幅値と累積ヒット数を両対数スケールでプロットする。
【００３８】
通常、地下タンクの１箇所又は複数の箇所で損傷が成長している、即ち腐食が進行している場合、その損傷に伴う急激な変化はフラクタルと呼ばれ、その規模はベキ乗分布を示す。即ち、上記の両対数プロット結果は負勾配の直線となり、勾配の大小は当該地下タンクの腐食モードに関係する指標の１つとなる。
【００３９】
両対数プロットが直線にならない場合、データベースに基づき、例えば小振幅領域と大振幅領域が各々別種の雑音であると推定して、中間領域（総ヒット数がＮ’（＜Ｎ）になったとする）だけを取り出して解析を行うことができる。
【００４０】
ステップＳ３２では、このようにして得られた真の損傷に対応するヒット毎の特性データをもとに、総ヒット数Ｎ’とエネルギーＥ’を各々大小に応じてグレード分けする。その際、エネルギーＥ’は個別のヒットのエネルギーＥの総和をとる。
【００４１】
ここで図４を参照すると、総ヒット数Ｎ’とエネルギーＥ’は、データベースに基づき、図４（Ａ）に示すように、各々５段階、Ａ〜Ｅ、ａ〜ｅにグレード分けされ、図４（Ｂ）に示すように、出来た行列の交点には５段の判定Ｉ〜Ｖが割り当てられているので、当該地下タンクの腐食度がＩ〜Ｖのどれに該当するかを１次判定できる。
【００４２】
必要に応じて、法定の殻厚実測と腐食度の相関データベースＳ３５に基づき、ステップＳ３３、Ｓ３４では各々、総ヒット数Ｎ’、エネルギーＥ’と腐食度の相関分析を行い、当該地下タンクの腐食度をより詳細に推定することができる。
ステップＳ３６では、以上に基づき腐食度の総合判定を行う、即ち損傷の危険度と対応する保守作業のタイミングを決定する。
【００４３】
さらに必要に応じて、Ｓ３７では、ヒットデータを複数のセンサによるヒットデータに分解して、損傷部と目されるＡＥ発生源の位置分析を行い、損傷部の位置を推定することができる。
【実施例２】
【００４４】
図５を参照すると、実施例２に係るＡＥ法のフロー図であって、図３のステージＳ３０のうち、直接本実施例に係るステップを実線で示し、直接係らないステップを破線で示す。
即ち本実施例は、殻厚実測と腐食度の相関データベースＳ３５の具体例Ｓ３５１、Ｓ３５２とそれに基づく、総ヒット数Ｎ’と腐食度の相関分析Ｓ３３の具体例Ｓ３３１であって、本実施例によれば、当該地下タンクの損傷部分の寿命予測を行うことができる。
【００４５】
我が国では、地上タンクの場合は、個々のタンクに対してランダムに選んだ複数箇所の底部板厚、従って底部板厚の減肉量の実測が義務づけられており、そのデータベースから、「減肉量と、その累積頻度の両対数プロットの結果として負勾配の直線が得られ、その傾き（Ｄ、勾配の絶対値）と腐食速度の間には密接な相関があり、傾きの逆数に比例する変数を「腐食リスクパラメータ」（以下、ＣＲＰと略する）と定義すると、そのＣＲＰ値に対応して当該地下タンクの腐食速度、従って貫通腐食に至るまでの寿命を（確率的に）予測することができる。」という第１の知見が得られている。
【００４６】
さらに、このようにして得られるＣＲＰと、同時に上記のＡＥ法を実施して得られる総ヒット数Ｎ’をプロットすると、総ヒット数Ｎ’に比例する検量線によりＣＲＰの上限推定が与えられる。」という第２の知見が得られている。
【００４７】
図６に、腐食度に関するパラメータの相関関係を示す実例を示す。
即ち、横軸に第１の知見から得られるＣＲＰ値をとり、縦軸にＡＥヒット数Ｎ’をとってプロットする。
ただし、横軸のＣＲＰ値は上記勾配の絶対値Ｄに逆比例し、その比例定数を、ｈ０．００１／ｙ  にとる。
【００４８】
ここで、ｈ０．００１は上記の減肉量対累積頻度の両対数プロットの負勾配の直線において、例えば累積頻度０．００１に相当する減肉量（＝当初板厚−実測板厚）であり、ｙは供用年数である。また、縦軸は実際には、ＡＥヒット数Ｎ’をセンスチャネル数（導波棒の数）ｃｈと測定時間（上記実施例１の場合は１時間とした）で除してノルマライズしてある。
【００４９】
図６において、ＣＲＰとＮ’のプロットに対して、ＣＲＰ値の高いデータ（即ち、腐食が進んでいる事例に対応するデータ）を中心として、原点を通る相関直線を引き検量線ＣＬとする。図において、検量線ＣＬの左上にあるプロットは、ＡＥ測定時における雑音などの影響でＮ’値が大きく出ていると考えられるので、新しい実測Ｎ’値に対してこの検量線を使うならば、ＣＲＰ値は安全サイド（大きい目）に見積もることになる。
【００５０】
再び図５を参照すると、本実施例はこれらの知見に基づくものであり、第１に板（殻）厚減肉量実測値とその累積頻度の両対数分布の相関分析からＣＲＰを得るデータベースＳ３５１を利用する。
【００５１】
第２に、ＣＲＰと総ヒット数Ｎ’の相関分析からＣＲＰの上限推定検量線を与えるデータベースＳ３５２を利用する。
その際、本実施例の場合は地下タンクを対象としており、且つ導波棒を用いていることを考慮して検量線を補正しておく。
【００５２】
さてステップＳ３３１では、上記実施例１のステップＳ３１で得た総ヒット数Ｎ’を上記データベースＳ３５１、Ｓ３５２に当てはめて、対応する検量線上のＣＲＰ値、即ちＣＲＰの上限推定値が得られ、そのＣＲＰ値に対応して当該地下タンクの損傷部の腐食速度、従って貫通腐食に至るまでの寿命が（確率的に）予測されることになり、上記実施例１に述べたステップＳ３２で得られる経験的な保守タイミングに関する腐食度の推定を補強してステップＳ３６とすることができる。
【図面の簡単な説明】
【００５３】
【図１】本発明による地下タンクの腐食損傷評価システムを示す図で、（Ａ）は全体図、（Ｂ）はＡＥの発生源である腐食損傷部を示す模式図である。
【図２】ＡＥによる超音波波形を例示し、その諸特性を示す図である。
【図３】本発明によるＡＥ法のフロー図である。
【図４】（Ａ）は腐食度の１次判定に用いる表であり、（Ｂ）は（Ａ）における腐食度の具体的判定結果を示す表である。
【図５】本発明によるＡＥ法のフロー図において、第２の実施例に係る部分を示す図である。
【図６】第２の実施例で用いる腐食度に関するパラメータの相関関係を示す実測図である。
【符号の説明】
【００５４】
１０  地下タンクの殻
１２  開口
２０  液体
３０  地中（土）
４０  導波棒
４２  導波棒の一端
４４  圧電センサ
５０  損傷部
５５  損傷部の急激な変化
９０  パソコン（ＡＥボードを内蔵）
９１  信号線
【図１】
2006250823.tif 000003
【図２】
2006250823.tif 000004
【図３】
2006250823.tif 000005
【図４】
2006250823.tif 000006
【図５】
2006250823.tif 000007
【図６】
2006250823.tif 000008